(57)【特許請求の範囲】
【請求項１】
映像表示装置と、情報端末装置と、一つ以上のコンテンツサーバと、がネットワークを介して互いに通信可能に接続されたシステムであって、
前記映像表示装置は、
映像コンテンツを視聴した場合に、前記視聴した映像コンテンツに関連付けられた検索タグを、キーワード情報として前記情報端末装置または予め選別された前記映像表示装置と近距離内であって前記映像表示装置および前記情報端末装置と同一部屋内に存在する通信可能な他の情報端末装置に送信するキーワード情報送出部と、
前記情報端末装置から送信された蓄積検索キーワード情報を受信する蓄積検索キーワード情報受信部と、
前記蓄積検索キーワード情報受信部で受信した前記蓄積検索キーワード情報に基づいて、前記ネットワークを介して接続された前記コンテンツサーバから推薦すべき映像コンテンツを抽出する映像コンテンツ抽出部と、
前記映像コンテンツ抽出部で抽出した前記推薦すべき映像コンテンツの情報を表示可能な表示部と
を備え、
前記情報端末装置または前記他の情報端末装置は、
前記映像表示装置から送信された前記キーワード情報を受信するキーワード情報受信部と、
前記キーワード情報受信部で受信した前記キーワード情報を蓄積可能なキーワード情報蓄積部と、
前記キーワード情報蓄積部に蓄積されている前記キーワード情報を、蓄積検索キーワード情報として前記映像表示装置に送信する蓄積検索キーワード情報送出部と
を備えることを特徴とするシステム。
【請求項２】
前記映像表示装置は、デジタルテレビの放送波を受信して、前記表示部に映像表示可能なテレビジョン受信機であることを特徴とする請求項１に記載のシステム。
【請求項３】
キーワード情報を受信して蓄積し、前記蓄積したキーワード情報を、蓄積検索キーワード情報として送信する情報端末装置、およびコンテンツサーバと、ネットワークを介して通信可能な映像表示装置であって、
映像コンテンツを視聴した場合に、前記視聴した映像コンテンツに関連付けられた検索タグを、キーワード情報として前記情報端末装置または予め選別された前記映像表示装置と近距離内であって前記映像表示装置および前記情報端末装置と同一部屋内に存在する通信可能な他の情報端末装置に送信するキーワード情報送出部と、
前記情報端末装置または前記他の情報端末装置から送信された蓄積検索キーワード情報を受信する蓄積検索キーワード情報受信部と、
前記蓄積検索キーワード情報受信部で受信した前記蓄積検索キーワード情報に基づいて、前記ネットワークを介して接続された前記コンテンツサーバから推薦すべき映像コンテンツを抽出する映像コンテンツ抽出部と、
前記映像コンテンツ抽出部で抽出した前記推薦すべき映像コンテンツの情報を表示可能な表示部と
を備えることを特徴とする映像表示装置。
【請求項４】
前記映像表示装置は、デジタルテレビの放送波を受信して、前記表示部に映像表示可能なテレビジョン受信機であることを特徴とする請求項３に記載の映像表示装置。
【請求項５】
過去に視聴した映像コンテンツ群に関連付けられた蓄積検索キーワード情報に基づいて抽出した推薦すべき映像コンテンツの情報を表示可能な映像表示装置と通信可能な情報端末装置または前記映像表示装置と近距離内であって前記映像表示装置および前記情報端末装置と同一部屋内に存在する通信可能な予め選別された他の情報端末装置であって、
前記映像表示装置から送信されるキーワード情報を受信するキーワード情報受信部と、
前記キーワード情報受信部で受信した前記キーワード情報を蓄積可能なキーワード情報蓄積部と、
前記キーワード情報蓄積部に蓄積されている前記キーワード情報を、蓄積検索キーワード情報として前記映像表示装置に送信する蓄積検索キーワード情報送出部と、
を備えることを特徴とする情報端末装置。
【発明の詳細な説明】
【技術分野】
【０００１】
本発明はコンテンツ推薦技術に関する。
【背景技術】
【０００２】
放送のデジタル化および多チャンネル化により、一般家庭で視聴できる番組が増加している。更に、近年のデジタル放送対応テレビにおいては、テレビ放送を受信して表示する機能に加えて、インターネットを経由して取得した動画や静止画等の映像コンテンツを表示する機能も付加され、使用者が視聴可能な映像コンテンツはますます増大した。このような状況においては、使用者の映像コンテンツ選択を支援する機能が重要となる。
【０００３】
下記特許文献１には、デジタル放送視聴時に、使用者が過去に視聴した番組から、出演者名やジャンル情報などのキーワードを抽出、優先順位をつけたデータベースを作成し、最新の番組情報に対して、先に順位付けされたキーワードでの検索結果をおすすめ番組として使用者に対して提供する番組推薦機能に関する技術が記載されており、特に、複数の使用者が共有するテレビを視聴する際に、デジタルテレビの有する字幕機能の使用の有無を利用して個人を特定し、その個人に適した番組の推薦を行う技術が記載されている。
【０００４】
また、下記特許文献２には、インターネットを経由して取得することができる、映画会社や放送局、コンテンツ制作会社が著作権を有する有料コンテンツや、個人が製作して提供する無料コンテンツなどの、多数の映像コンテンツからの、使用者の映像コンテンツ選択を支援する技術が記載されている。
【先行技術文献】
【特許文献】
【０００５】
【特許文献１】特開２００７−２１４８６９公報
【特許文献２】特開２０１１−９１６４６公報
【発明の概要】
【発明が解決しようとする課題】
【０００６】
前記特許文献１に記載の技術においては、複数の使用者が共有するテレビで、視聴中の個人を特定する手段として、デジタルテレビの有する字幕機能の使用の有無を利用している。即ち、たとえばテレビを共有する使用者の中に、聴覚に障害を持つ使用者がいる場合、字幕機能の使用状況によりその使用者がテレビを視聴中であると判断する。しかしながら、前記手段を用いた場合、確実な個人特定を行うことができない場合がある。更には、使用者が単一であった場合でも、通常時に使用しているデジタルテレビと異なるデジタルテレビを使用した場合、好適な番組推薦を得ることができない、等の課題がある。
【０００７】
また、前記特許文献２に記載の技術は、複数のインターネット動画提供サービスが提供する映像コンテンツを検索対象として、入力した検索条件に従って検索を実行することにより、使用者の映像コンテンツ選択を支援することが可能であるが、使用者の過去の映像コンテンツ参照履歴に基づく自動的な映像コンテンツ選択の手法に関しては、考慮されたものではない。
【０００８】
本発明の目的は、上記課題を考慮し、より好適な映像コンテンツ推薦を行うことが可能な技術を提供することである。
【課題を解決するための手段】
【０００９】
前記課題を解決するために、本発明の一実施の態様では、例えば、映像表示装置と、情報端末装置と、コンテンツサーバとがネットワークを介して互いに通信可能に接続されたシステムであって、前記コンテンツサーバは、前記映像表示装置または前記情報端末装置から送信された蓄積検索キーワード情報を受信する蓄積検索キーワード情報受信部と、前記蓄積検索キーワード情報受信部で受信した前記蓄積検索キーワード情報に基づいて、前記コンテンツサーバに格納されているコンテンツ群から推薦すべきコンテンツを抽出するコンテンツ抽出部と、前記コンテンツ抽出部にて抽出された推薦コンテンツ群からひとつのコンテンツが選択された場合に、前記選択されたコンテンツに関連付けられた検索タグを、キーワード情報として前記映像表示装置または前記情報端末装置に送信するキーワード情報送出部と、を備え、前記映像表示装置は、前記コンテンツサーバから送出された前記推薦すべきコンテンツ群の情報と前記選択されたコンテンツとを表示可能な表示部を備え、前記情報端末装置は、前記推薦すべきコンテンツ群を抽出するために必要な蓄積検索キーワード情報を蓄積可能なキーワード情報蓄積部を備えるように構成すればよい。
【発明の効果】
【００１０】
本発明の技術を用いることにより、より好適な映像コンテンツ推薦を行うことが可能となる。
【図面の簡単な説明】
【００１１】
【図１】本発明の実施例1に係るコンテンツ推薦システムの一構成例を示す図である。
【図２】本発明の実施例1に係るネットワーク対応映像表示装置及び情報端末装置の詳細な構成の一例を示すブロック図である。
【図３】本発明の実施例1に係るネットワーク対応映像表示装置の映像コンテンツ検索アプリケーションの表示画面の一例を示す図である。
【図４】本発明の実施例1に係る情報端末装置のキーワード情報蓄積手段に構築されるデータベースの構成の一例を示す図である。
【図５】本発明の実施例1に係るネットワーク対応映像表示装置の映像コンテンツ推薦アプリケーションの表示画面の一例を示す図である。
【図６】本発明の実施例1に係るコンテンツ推薦システムの他の構成例を示す図である。
【図７】本発明の実施例２に係るコンテンツ推薦システムの一構成例を示す図である。
【図８】本発明の実施例４に係るネットワーク対応映像表示装置及び情報端末装置、コンテンツサーバの一構成例を示すブロック図である。
【図９】本発明の実施例５に係るネットワーク対応映像表示装置の一構成例を示すブロック図である。
【図１０】本発明の実施例６に係るネットワーク対応映像表示装置及び情報端末装置の一構成例を示すブロック図である。
【図１１】本発明の実施例７に係るネットワーク対応映像表示装置及び情報端末装置の一構成例を示すブロック図である。
【発明を実施するための形態】
【００１２】
以下、本発明の実施形態の例を、図面を用いて説明する。
【実施例１】
【００１３】
本発明の実施例１について説明する。図１は本発明のコンテンツ推薦システムの構成の一例であり、１００は本発明のネットワーク対応映像表示装置を適用したデジタル放送受信用テレビとして構成されている。１３０は本発明の情報端末装置を適用した携帯情報端末である。１４０ａ、１４０ｂ、１４０ｃ、等は映画会社や放送局、コンテンツ制作会社が著作権を有する有料コンテンツや、映画会社や放送局、コンテンツ制作会社が著作権を有しながらプロモーション等を目的として広告等を付加されて無料で公開されるコンテンツ、個人が製作して無償で提供するコンテンツなどの、多種多様な映像コンテンツが格納されたコンテンツサーバである。１５０はデジタル放送受信用テレビ１００や携帯情報端末１３０、コンテンツサーバ１４０ａ、１４０ｂ、１４０ｃ、その他のネットワーク対応機器を接続して互いに通信可能とする、例えばインターネットのようなネットワークである。
【００１４】
また、図２は本発明のネットワーク対応映像表示装置を適用したデジタル放送受信用テレビ１００、及び本発明の情報端末装置を適用した携帯情報端末１３０の構成の一例を示す詳細なブロック図である。図中、１０１は制御部、１０２はアンテナ、１０３はチューナ、１０４は分離部、１０５は映像デコーダ、１０６は音声デコーダ、１０７は情報処理部、１０８は表示処理部、１０９は表示デバイス、１１０はスピーカ、１１１はデジタル放送受信用テレビ側の送受信処理部、１１２はリモコンインタフェース、１１３は検索制御部、１２０はデジタル放送受信用テレビ１００を操作するリモコン、１３１は携帯情報端末側の送受信処理部、１３２はキーワード情報蓄積部である。また、本図では、説明簡略化のため、ネットワーク上に複数存在するコンテンツサーバ（１４０ａ、１４０ｂ、１４０ｃ、等）をコンテンツサーバ１４０として表示している。
【００１５】
デジタル放送の放送番組を視聴する際には、本実施例のデジタル放送受信用テレビ１００は、以下のように動作する。
【００１６】
デジタル放送の放送波はアンテナ１０２で受信された後、チューナ１０３に入力される。チューナ１０３はアンテナ１０２が受信した放送波から使用者がリモコン１２０や図示を省略した本体スイッチの操作により選局したチャンネルの信号を抽出し、ＴＳ（Ｔｒａｎｓｐｏｒｔ  Ｓｔｒｅａｍ）信号に復調する。ＴＳ信号はそれぞれパケット化された映像データと音声データと付随情報データとで構成されており、分離部１０４においてそれぞれが分離される。分離された映像データが映像デコーダ１０５に、分離された音声データが音声デコーダ１０６に、分離された付随情報データが情報処理部１０７にそれぞれ出力される。
【００１７】
映像デコーダ１０５は分離部１０４から出力された映像データをデコードし、映像信号として表示処理部１０８に出力する。表示処理部１０８は入力した映像信号に対して、必要に応じてフォーマット変換や、メニューやその他のＯＳＤ（Ｏｎ  Ｓｃｒｅｅｎ  Ｄｉｓｐｌａｙ）信号の重畳処理等を行い、表示デバイス１０９に出力する。表示デバイス１０９は、例えば液晶パネル等の映像表示素子であり、表示処理部１０８から入力した映像信号を表示して使用者に提供する。一方、音声デコーダ１０６は分離部１０４から出力された音声データをデコードし、音声信号としてスピーカ１１０に出力する。
【００１８】
情報処理部１０７は分離部１０４から出力された付随情報データを処理する。付随情報データは、各放送番組の番組名、ジャンル、放映開始／終了日時、等の番組情報を含むＳＩ（Ｓｅｒｖｉｃｅ  Ｉｎｆｏｒｍａｔｉｏｎ）情報等を有しており、制御部１０１は、必要に応じて、情報処理部１０７で取得したＳＩ情報を基に電子番組表を作成して表示処理部１０８に出力する処理等を行う。なお、制御部１０１は、例えば、プログラムを格納したＲＯＭやワークエリアとなるＲＡＭを備えたマイクロコンピュータなどであり、本実施例のデジタル放送受信用テレビ１００の各部を制御するものである。
【００１９】
また、ネットワーク１５０上のコンテンツサーバ１４０に格納された映像コンテンツを参照する際には、本実施例のデジタル放送受信用テレビ１００は、以下のような動作を行う。
【００２０】
使用者の操作によりコンテンツサーバ上の映像コンテンツを検索して参照する際には、まず、使用者がリモコン１２０や図示を省略した本体スイッチ等を操作することにより、制御部１０１が、本実施例のデジタル放送受信用テレビ１００が備える映像コンテンツ検索アプリケーションを起動する。
【００２１】
図３は、本実施例のデジタル放送受信用テレビ１００が備える映像コンテンツ検索アプリケーションの表示画面の一例を示す図である。図中、３００ａは映像コンテンツ検索アプリケーション起動直後（検索実行前）の表示画面であり、検索キーワード入力部分３０１、検索対象サービス選択部分３０２、及び検索開始ボタン３０３などの表示部分を備える。検索キーワード入力部分３０１は、検索に用いるキーワードを入力する部分であり、リモコン１２０等を用いてキーワードを入力する。キーワード入力は、リモコン１２０の図示を省略したテンキー（数字キー）等を使用して直接入力しても良いし、画面上にソフトウエアキーボードを表示し、リモコン１２０等で前記ソフトウエアキーボードを操作して行っても良い。なお、本実施例では、検索キーワードは同時に複数個を設定することが可能であるものとする。検索対象サービス選択部分３０２は、検索対象とする映像コンテンツ提供サービスを選択する部分であり、本実施例では、『サービスＡ』、『サービスＢ』、『サービスＣ』を検索対象として選択できる仕様であるものとする。また、検索対象サービスは同時に複数を選択することが可能であるものとする。
【００２２】
使用者によるリモコン１２０等の操作により、検索キーワードの設定及び検索対象サービスの選択を行った後、検索開始ボタン３０３を選択して決定する。これにより、本実施例のデジタル放送受信用テレビ１００は、ネットワーク１５０上のコンテンツサーバ１４０に対して検索処理を開始する。具体的には、制御部１０１の指示を受けた検索制御部１１３が、検索対象サービス選択部分３０２で選択された検索対象サービスを有するコンテンツサーバに対して、検索キーワード入力部分３０１に入力された検索キーワードを送信し、コンテンツサーバ１４０内に格納された映像コンテンツ群の中から検索条件（検索キーワード）に適合する映像コンテンツに関する情報の送信を要求する。
【００２３】
３００ｂは検索処理実行後の映像コンテンツ検索アプリケーションの表示画面であり、画面下部に検索結果表示部分３０４を有するものである。本実施例では、検索結果として、検索条件に適合する映像コンテンツの情報を、サムネイル画像、コンテンツタイトル、内容説明、映像コンテンツに関連付けられた検索タグ、をワンセットとして、検索結果表示部分３０４内に表示する。表示結果では、使用者が指定した検索キーワードと合致する検索タグは太字で表示するように構成してもよい。これは、使用者の検索結果の理解の助けになる。
【００２４】
なお、本実施例のデジタル放送受信用テレビ１００においては、前記検索処理を終えた時点では、検索条件に適合する映像コンテンツに関する情報（サムネイル画像、コンテンツタイトル、内容説明、映像コンテンツに関連付けられた検索タグ）のみをコンテンツサーバ１４０から取得しており、映像コンテンツ本体のダウンロードは行っていない。
【００２５】
前記映像コンテンツ検索アプリケーションの表示は、制御部１０１が生成したＯＳＤ画面（映像コンテンツ検索アプリケーション表示画面３００ａ、３００ｂ）を、表示処理部１０８を介して表示デバイス１０９に出力することにより行う。また、映像コンテンツ検索アプリケーションの表示画面３００ａ、３００ｂの画面構成は、前述の例に限るものではなく、検索エンジン選択部分（検索エンジンとしてどのようなサービスを使用するか、の設定を行う）や、検索条件設定部分（検索対象を無料コンテンツのみにする、等の設定を行う）、等を備えた構成としても良い。
【００２６】
映像コンテンツ検索アプリケーション表示画面３００ｂの検索結果表示部分３０４内に表示された映像コンテンツは、リモコン１２０等の操作により選択可能な構成としている。この検索結果表示部分３０４内に表示された映像コンテンツを選択して決定することにより、デジタル放送受信用テレビ１００は、選択された映像コンテンツを、コンテンツサーバ１４０から、ネットワーク１５０を介してダウンロードし、表示デバイス１０９に表示する。前記一連の処理により、使用者は、リモコン１２０等の操作により検索を行った映像コンテンツを選択して、デジタル放送受信用テレビ１００で参照することが可能となる。
【００２７】
本実施例のシステムにおいては、前記映像コンテンツ検索アプリケーション表示画面３００ｂの検索結果表示部分３０４内で選択された映像コンテンツを、コンテンツサーバ１４０からデジタル放送受信用テレビ１００にダウンロードする際、前記選択された映像コンテンツに関連付けられた検索タグを、キーワード情報として、コンテンツサーバ１４０から携帯情報端末１３０に送信する処理を行う。前記キーワード情報は、携帯情報端末１３０側において、図示を省略したＣＰＵ（Ｃｅｎｔｒａｌ  Ｐｒｏｃｅｓｓｉｎｇ  Ｕｎｉｔ）の制御に基づき、携帯情報端末側の送受信処理部１３１で受信して、キーワード情報蓄積部１３２に適宜記憶させていく処理が行われる。
【００２８】
なお、コンテンツサーバ１４０が送信するキーワード情報の送信先に関する情報は、以下の手法により、コンテンツサーバ１４０に記録し、コンテンツサーバ１４０にキーワード情報の送付先として認識させることが可能である。例えば、デジタル放送受信用テレビ１００の使用を開始する際に、予めデジタル放送受信用テレビ１００と携帯情報端末１３０の間で認証処理を行う。更に、前記映像コンテンツ検索アプリケーション表示画面３００ｂの検索結果表示部分３０４内で参照を希望する映像コンテンツを選択し、デジタル放送受信用テレビ１００が選択した映像コンテンツの送信要求信号をコンテンツサーバ１４０に送信する際に、前記認証処理を行ったときに携帯情報端末１３０から取得したＩＰ（Ｉｎｔｅｒｎｅｔ  Ｐｒｏｔｃｏｌ）アドレスやＭＡＣ（Ｍｅｄｉａ  Ａｃｃｅｓｓ  Ｃｏｎｔｒｏｌ）アドレス等の、携帯情報端末１３０を識別可能な情報を同時にコンテンツサーバ１４０に送信すればよい。前記処理を行うことにより、コンテンツサーバ１４０にキーワード情報の送信先となる携帯情報端末１３０に関する情報を記録することができ、携帯情報端末１３０をコンテンツサーバ１４０にキーワード情報の送付先として認識させることが可能となる。
【００２９】
図４は、キーワード情報蓄積部１３２に構築されるデータベースの一例である。本実施例では、コンテンツサーバ１４０から送信されたキーワード情報（検索タグ）を、キーワード毎にその出現回数を集計し、出現回数の多い順に並べ替えることにより、データベース４００を構築する。例えば、図４に示したデータベース４００は、デジタル放送受信用テレビ１００の使用者によって選択／参照された映像コンテンツに関連付けられた検索タグとして、『ＡＡＡＡ』というキーワードが過去に１５回、『ＢＢＢＢ』というキーワードが過去に１３回、『ＧＧＧＧＧＧＧＧＧＧ』というキーワードが過去に１２回、（以下省略）、出現したことを示すものである。
【００３０】
前記処理によりキーワード情報蓄積部１３２に構築されたデータベース４００は、使用者がデジタル放送受信用テレビ１００で行った、映像コンテンツをダウンロードして参照する処理の際に、選択した映像コンテンツに関連付けられた検索タグを収集して整理したものであり、即ち使用者の映像コンテンツ参照に関する嗜好を示すものとなる。
【００３１】
なお、本実施例では、キーワード情報蓄積部１３２は携帯情報端末１３０に内蔵されたメモリデバイスであるものとして説明を行っている。但し、これは、携帯情報端末１３０が有するメモリインタフェースと、前記メモリインタフェースと着脱可能な、例えばフラッシュメモリのようなメモリデバイスとの組み合わせであっても良い。
【００３２】
次に、本実施例のデジタル放送受信用テレビ１００による映像コンテンツの推薦動作、及び推薦された映像コンテンツの参照動作に関して、以下に説明する。
【００３３】
携帯情報端末１３０を所有する使用者が、デジタル放送受信用テレビ１００を視聴中に、リモコン１２０等の操作により、デジタル放送受信用テレビ１００に対して映像コンテンツの推薦を要求した場合、制御部１０１は、まずデジタル放送受信用テレビ側の送受信処理部１１１を介して、使用者が所有する携帯情報端末１３０に蓄積検索キーワード情報の送信を要求する。デジタル放送受信用テレビ１００からの要求を受け付けた携帯情報端末１３０は、携帯情報端末１３０が備えるＣＰＵ（図示は省略）の指示により、キーワード情報蓄積部１３２に蓄積されているキーワード情報群（例えば、本実施例の場合では図４に示したデータベース４００の全内容、若しくは出現回数の多い所定の数のキーワード群）を、携帯情報端末側の送受信処理部１３１を介して、デジタル放送受信用テレビ１００に、蓄積検索キーワード情報として送信する。
【００３４】
なお、デジタル放送受信用テレビ１００が送信する前記蓄積検索キーワード情報送信要求の送信先の選択は、前述のコンテンツサーバ１４０にキーワード情報の送信先を認識させる手法と同様の手法で良い。例えば、予めデジタル放送受信用テレビ１００と携帯情報端末１３０の間で認証処理を行っておくことで、デジタル放送受信用テレビ１００と認証されている携帯情報端末１３０を自動的に選択するようにすれば良い。
【００３５】
携帯情報端末１３０から送信され、デジタル放送受信用テレビ側の送受信処理部１１１で受信した蓄積検索キーワード情報は、検索制御部１１３に入力される。検索制御部１１３では、携帯情報端末１３０から送信された蓄積検索キーワード情報を検索キーワードとして、ネットワーク１５０上のコンテンツサーバ１４０に対して映像コンテンツの検索処理を実行する。
【００３６】
図５は、本実施例のデジタル放送受信用テレビ１００が備える映像コンテンツ推薦アプリケーションの表示画面の一例を示す図である。図中、３１０が映像コンテンツ推薦アプリケーションの表示画面であり、３１１は推薦結果表示部分である。本実施例では、推薦結果として、推薦映像コンテンツの情報（例えば、サムネイル画像、コンテンツタイトル、推薦映像コンテンツの格納されている映像コンテンツ提供サービスの名称、内容説明、推薦映像コンテンツに関連付けられた検索タグなど）を推薦結果表示部分３１１に表示する。この推薦結果表示部分３１１内に表示される推薦映像コンテンツは、携帯情報端末１３０のキーワード情報蓄積部１３２に構築されたデータベース４００を検索キーワードとして、ネットワーク上の映像コンテンツに対して検索を行ったものである。これは、携帯情報端末１３０を所有する使用者の映像コンテンツ参照に関する嗜好に基づく検索結果であると言える。
【００３７】
また、言うまでも無く、映像コンテンツ推薦アプリケーション表示画面３１０の推薦結果表示部分３１１内に表示された推薦映像コンテンツは、リモコン１２０等の操作により選択可能である。この推薦結果表示部分３１１内に表示された推薦映像コンテンツを選択して決定することにより、デジタル放送受信用テレビ１００は、選択された推薦映像コンテンツを、コンテンツサーバ１４０から、ネットワーク１５０を介してダウンロードし、表示デバイス１０９に表示する。前記一連の処理により、使用者は、デジタル放送受信用テレビ１００が携帯情報端末１３０を所有する使用者の映像コンテンツ参照に関する嗜好に基づいて推薦した映像コンテンツを選択して、デジタル放送受信用テレビ１００で参照することが可能となる。
【００３８】
なお、前記映像コンテンツ推薦アプリケーション表示画面３１０の推薦結果表示部分３１１内で選択された推薦映像コンテンツを、コンテンツサーバ１４０からデジタル放送受信用テレビ１００にダウンロードする際、前記選択された推薦映像コンテンツに関連付けられた検索タグを、キーワード情報として、コンテンツサーバ１４０から携帯情報端末１３０に送信する処理を行う。これは、映像コンテンツ検索アプリケーション表示画面３００ｂの検索結果表示部分３０４内で選択された映像コンテンツを、コンテンツサーバ１４０からデジタル放送受信用テレビ１００にダウンロードする際の処理と同様である。
【００３９】
以上説明したように、本実施例に係るネットワーク対応映像表示装置および情報端末装置またはコンテンツ推薦システムによれば、デジタル放送受信用テレビ１００の使用者は、使用者自身の所有する携帯情報端末１３０に構築された、自身の映像コンテンツ参照に関する嗜好に基づき、自身にとってより好適な映像コンテンツ推薦結果を得ることが可能となる。
【００４０】
次に、図６を用いて、本発明のネットワーク対応映像表示装置および情報端末装置をデジタル放送受信用テレビおよび携帯情報端末に適用し、コンテンツ推薦システムを構成した場合の実施形態の他の一例について説明する。
【００４１】
図６の例において、携帯情報端末１３０を所有する使用者が、通常時には、ネットワーク１５０ａを介して接続されたデジタル放送受信用テレビ１００ａを使用しているものとする。この場合、デジタル放送受信用テレビ１００ａを用いて、コンテンツサーバ１４０に格納された映像コンテンツの参照を繰り返すことにより、携帯情報端末１３０へ送信された前記映像コンテンツに関連付けられた検索タグ群が、携帯情報端末１３０のキーワード情報蓄積部１３２に蓄積されている。当該検索タグ群は、携帯情報端末１３０を所有する使用者の映像コンテンツ参照履歴のデータベースとして蓄積されている。携帯情報端末１３０を所有する使用者が、デジタル放送受信用テレビ１００ａに対して映像コンテンツの推薦を要求した場合、前述の説明のように、デジタル放送受信用テレビ１００ａが、携帯情報端末１３０から受信した蓄積検索キーワード情報、即ち携帯情報端末１３０を所有する使用者の映像コンテンツ参照に関する嗜好に基づいて、コンテンツサーバ１４０から推薦すべき映像コンテンツを抽出し、その情報を表示することが可能である。
【００４２】
ここで、例えば携帯情報端末１３０を所有する使用者が旅行等を行い、旅先でデジタル放送受信用テレビ１００ｂを使用する場合、旅先に携帯情報端末１３０を携行し、携帯情報端末１３０をネットワーク１５０ｂを介してデジタル放送受信用テレビ１００ｂと接続させれば、デジタル放送受信用テレビ１００ａを使用している場合と同様に、携帯情報端末１３０を所有する使用者の映像コンテンツ参照に関する嗜好に基づいた好適な映像コンテンツの推薦情報をデジタル放送受信用テレビ１００ｂに表示させることが可能となる。
【００４３】
以上説明したように、本実施例に係るシステムまたは装置においては、携帯情報端末１３０を所有する使用者の映像コンテンツ参照履歴のデータベース（映像コンテンツ参照に関する嗜好）は、通常時に使用しているデジタル放送受信用テレビ１００ａではなく、使用者が所有する携帯情報端末１３０に蓄積されている。このため、使用するデジタル放送受信用テレビがデジタル放送受信用テレビ１００ａからデジタル放送受信用テレビ１００ｂに変更された場合においても、携帯情報端末１３０から受信した蓄積検索キーワード情報に基づき、デジタル放送受信用テレビ１００ｂが携帯情報端末１３０を所有する使用者の映像コンテンツ参照に関する嗜好を把握することが可能となる。その結果、旅先においてもより好適な推薦すべき映像コンテンツの抽出が可能となる。
【００４４】
更には、携帯情報端末１３０とは異なる、本発明の情報端末装置を適用した別の携帯情報端末を所有する使用者がデジタル放送受信用テレビ１００ａ、１００ｂを使用した場合、デジタル放送受信用テレビ１００ａ、１００ｂに表示される推薦映像コンテンツは、当該別の携帯情報端末を所有する使用者の映像コンテンツ参照に関する嗜好に基づくものであり、携帯情報端末１３０を所有する使用者の映像コンテンツ参照に関する嗜好に基づくものではないことは、前述の説明より明らかである。
【００４５】
なお、本実施例では、デジタル放送受信用テレビ１００における携帯情報端末１３０から送信された蓄積検索キーワード情報を受信する処理を、デジタル放送受信用テレビ側の送受信処理部１１１で行うものとして記述しているが、これは、デジタル放送受信用テレビ側の送信処理部とデジタル放送受信用テレビ側の受信処理部とをそれぞれ別に用意して行ってもよい。この場合、携帯情報端末１３０から送信された蓄積検索キーワード情報を受信する処理を、前記デジタル放送受信用テレビ側の受信処理部において行えば良い。
【００４６】
同様に、本実施例では、携帯情報端末１３０におけるコンテンツサーバ１４０から送信されたキーワード情報を受信する処理及び蓄積検索キーワード情報をデジタル放送受信用テレビ１００に送信する処理を、いずれも携帯情報端末側の送受信処理部１３１で行うものとして記述しているが、これも、携帯情報端末側の受信処理部と携帯情報端末側の送信処理部とをそれぞれ別に用意して行ってもよい。この場合、コンテンツサーバ１４０から送信されたキーワード情報を受信する処理を前記携帯情報端末側の受信処理部において、蓄積検索キーワード情報をデジタル放送受信用テレビ１００に送信する処理を携帯情報端末側の送信処理部において行えば良い。
【００４７】
以上説明した本発明の実施例１に係るシステムまたは装置によれば、より好適な映像コンテンツ推薦を行うことが可能となる。
【実施例２】
【００４８】
本発明の実施例２について、以下で説明する。なお、本実施例においては、システム構成は前記実施例１と同様であり、既に説明した図面（図２、等）を用いて説明するものである。また、本実施例の説明において、前記実施例１と同様の動作となる部分に関しては、説明を省略する。
【００４９】
本実施例のシステム構成においても、使用者の操作によりコンテンツサーバ上の映像コンテンツを検索して参照する際のデジタル放送受信用テレビ１００の動作は、概ね前記実施例１のシステム構成と同様である。しかしながら、本実施例のシステム構成では、映像コンテンツ検索アプリケーションの表示画面３００ｂの検索結果表示部分３０４内で選択された映像コンテンツを、コンテンツサーバ１４０からデジタル放送受信用テレビ１００にダウンロードする際の動作が前記実施例１とは異なる。本実施例では、デジタル放送受信用テレビ１００が、前記選択された映像コンテンツに関連付けられた検索タグを、キーワード情報として、デジタル放送受信用テレビ側の送受信処理部１１１を介して、携帯情報端末１３０に送信する。または、映像コンテンツ検索アプリケーションの表示画面３００ｂの検索結果表示部分３０４内で選択された映像コンテンツを、コンテンツサーバ１４０からデジタル放送受信用テレビ１００にダウンロードする際に、前記選択された映像コンテンツに関連付けられた検索タグを映像コンテンツ本体と一緒に、コンテンツサーバ１４０からデジタル放送受信用テレビ１００にダウンロードし、その後、前記ダウンロードした検索タグを、キーワード情報として、デジタル放送受信用テレビ側の送受信処理部１１１を介して、携帯情報端末１３０に送信しても良い。
【００５０】
本実施例では、キーワード情報（検索タグ）の携帯情報端末１３０への送信処理を前述のようにすることで、コンテンツサーバ１４０にキーワード情報の送信先となる携帯情報端末１３０を認識させる必要が無くなり、したがって、コンテンツサーバ１４０の運用を実施例１に比べて簡便にすることが可能となる。また、前記実施例１で得られる効果は同様に得ることが可能である。
【００５１】
なお、デジタル放送受信用テレビ１００がキーワード情報を送信する際の送信先となる携帯情報端末１３０は、前記実施例１の場合と同様に、予めデジタル放送受信用テレビ１００と携帯情報端末１３０の間で認証処理を行っておけば良い。
【００５２】
または、デジタル放送受信用テレビ１００を視聴可能な近距離内に存在する携帯情報端末の全てに、キーワード情報を送信するようにしても良い。例えば、図７に示すように、携帯情報端末１３０ａを所有する使用者がデジタル放送受信用テレビ１００を操作している場合であっても、デジタル放送受信用テレビ１００を参照可能な近距離内（例えば、デジタル放送受信用テレビ１００や携帯情報端末１３０ａと同一部屋内）に存在する携帯情報端末１３０ｂの所有者は、携帯情報端末１３０ａを所有する使用者の選択した映像コンテンツに多少なりとも興味を有しており、携帯情報端末１３０ａを所有する使用者と一緒に前記選択したコンテンツを視聴している可能性が高い。そこで、携帯情報端末１３０ａだけでなく、携帯情報端末１３０ｂに対しても前記キーワード情報の送信を行うようにする。一方、デジタル放送受信用テレビ１００を視聴可能な近距離内に存在しない携帯情報端末１３０ｃに対しては、キーワード情報の送信を行わない。
【００５３】
前記キーワード情報の送信先の選別方法は、例えば、デジタル放送受信用テレビ１００と同一のルータ１６０を使用する携帯情報端末のみをキーワード情報の送信先に設定する方法、デジタル放送受信用テレビ１００と近距離無線通信にて通信可能な携帯情報端末のみをキーワード情報の送信先に設定する方法、デジタル放送受信用テレビ１００と同一のサブネットマスクによるフィルタリングでキーワード情報の送信先を選別する方法、等の方法を用いることが考えられる。
【００５４】
また、推薦映像コンテンツを抽出するためにデジタル放送受信用テレビ１００が送信する蓄積検索キーワード情報送信要求の送信先の選択は、前述のキーワード情報の送信先の選択と同様に、予めデジタル放送受信用テレビ１００との間で認証処理を行った携帯情報端末を優先すれば良い。または、デジタル放送受信用テレビ１００と同一のルータ１６０を使用する携帯情報端末を選択するようにしても良い。また、デジタル放送受信用テレビ１００と近距離無線通信にて通信可能な携帯情報端末を選択するようにしても良い。また、デジタル放送受信用テレビ１００と同一のサブネットマスクによるフィルタリングで蓄積キーワード情報送信要求の送信先を選択しても良い。
【００５５】
また、前記キーワード情報や蓄積検索キーワード情報送信要求の送信先の候補が複数ある場合、デジタル放送受信用テレビ１００の表示デバイス１０９に、送信先として設定する携帯情報端末を使用者に選択させるためのＯＳＤ画面を表示しても良い。
【００５６】
なお、前述の説明では、デジタル放送受信用テレビ１００における、キーワード情報を携帯情報端末１３０に送信する処理及び携帯情報端末１３０から送信された蓄積検索キーワード情報を受信する処理を、いずれもデジタル放送受信用テレビ側の送受信処理部１１１で行うものとして記述しているが、これは、デジタル放送受信用テレビ側の送信処理部とデジタル放送受信用テレビ側の受信処理部とをそれぞれ別に用意して行ってもよい。この場合、キーワード情報を携帯情報端末１３０に送信する処理を前記デジタル放送受信用テレビ側の送信処理部において、携帯情報端末１３０から送信された蓄積検索キーワード情報を受信する処理を前記デジタル放送受信用テレビ側の受信処理部において行えばよい。
【００５７】
また、携帯情報端末１３０におけるデジタル放送受信用テレビ１００から送信されたキーワード情報を受信する処理及び蓄積検索キーワード情報をデジタル放送受信用テレビ１００に送信する処理を、いずれも携帯情報端末側の送受信処理部１３１で行うものとして、前述の説明では記述しているが、これも、携帯情報端末側の受信処理部と携帯情報端末側の送信処理部とをそれぞれ別に用意して行ってもよい。この場合、デジタル放送受信用テレビ１００から送信されたキーワード情報を受信する処理を前記携帯情報端末側の受信処理部において、蓄積検索キーワード情報をデジタル放送受信用テレビ１００に送信する処理を携帯情報端末側の送信処理部において行うようにしても良い。
【００５８】
以上説明した本発明の実施例２に係るシステムまたは装置によれば、より好適な映像コンテンツ推薦をより簡便な構成で行うことが可能となる。
【実施例３】
【００５９】
本発明の実施例３について、以下で説明する。なお、本実施例においても、システム構成は前記実施例１及び実施例２と同様であり、既に説明した図面（図２、等）を用いて説明するものである。
【００６０】
本実施例においては、制御部１０１の制御により、デジタル放送受信用テレビ１００から携帯情報端末１３０へキーワード情報を送信する際、前記実施例２で説明した、映像コンテンツ検索アプリケーションの表示画面３００ｂの検索結果表示部分３０４内で選択された映像コンテンツを参照する際に、選択された映像コンテンツに関連付けられた検索タグを、キーワード情報として送信するだけでなく、デジタル放送の放送番組を視聴した際に視聴した番組の番組情報から抽出した視聴キーワードも、キーワード情報として、携帯情報端末１３０へ送信する。
【００６１】
例えば、デジタル放送の放送番組を視聴する際に、使用者がリモコン１２０等で行った選局指示により、制御部１０１がチューナ１０３を制御して所望のチャンネルの信号を抽出し、情報処理部１０７において選局したチャンネルの付随情報データから番組名、ジャンル、出演者名、等の番組情報を取得する。この際、更に、制御部１０１は情報処理部１０７で取得した番組情報からキーワード（視聴キーワードと称する）を抽出し、当該視聴キーワードもキーワード情報に含めてデジタル放送受信用テレビ側の送受信処理部１１１を介して、携帯情報端末１３０に送信する。携帯情報端末１３０においては、図示を省略したＣＰＵの制御に基づき、デジタル放送受信用テレビ１００から送信された前記検索タグ及び／または視聴キーワードを含むキーワード情報群を、携帯情報端末側の送受信処理部１３１で受信して、キーワード情報蓄積部１３２に適宜記憶させていく。
【００６２】
前述の処理により、携帯情報端末１３０のキーワード情報蓄積部１３２に構築されるデータベースは、携帯情報端末１３０を所有する使用者の映像コンテンツ視聴に基づく嗜好の他、デジタル放送の放送番組の視聴に基づく嗜好をも反映することとなり、映像コンテンツの推薦動作の際に、より精度の高い推薦すべき映像コンテンツの抽出が可能となる。
【００６３】
また、本実施例における、デジタル放送受信用テレビ１００による映像コンテンツ推薦動作、及び推薦された映像コンテンツの参照動作に関しては、以下のようになる。
【００６４】
携帯情報端末１３０を所有する使用者が、デジタル放送受信用テレビ１００を視聴中に、リモコン１２０等の操作により、デジタル放送受信用テレビ１００に対して映像コンテンツの推薦を要求した場合、制御部１０１は、まずデジタル放送受信用テレビ側の送受信処理部１１１を介して、使用者が所有する携帯情報端末１３０に蓄積検索キーワード情報の送信を要求する。デジタル放送受信用テレビ１００からの要求を受け付けた携帯情報端末１３０は、図示を省略したＣＰＵの指示により、キーワード情報蓄積部１３２に蓄積されているキーワード情報群（検索タグ＋視聴キーワード）を、携帯情報端末側の送受信処理部１３１を介して、デジタル放送受信用テレビ１００に、蓄積検索キーワード情報として送信する。
【００６５】
携帯情報端末１３０から送信され、デジタル放送受信用テレビ側の送受信処理部１１１で受信した蓄積検索キーワード情報は、検索制御部１１３に入力される。検索制御部１１３では、携帯情報端末１３０から送信された蓄積検索キーワード情報を検索キーワードとして、ネットワーク１５０上のコンテンツサーバ１４０に対して映像コンテンツの検索処理を実行し、推薦すべき映像コンテンツの抽出を行う。また、同時に、制御部１０１が、情報処理部１０７が取得した番組情報群に対して、前記受信した蓄積検索キーワード情報を用いて検索処理を行い、デジタル放送の放送番組の中から、前記蓄積検索キーワード情報の内容に合致するキーワードを含む番組情報を有する放送番組を抽出する。前記処理により抽出された推薦すべき映像コンテンツと放送番組の情報は、映像コンテンツ推薦アプリケーション表示画面３１０の推薦結果表示部分３１１内に表示される。
【００６６】
本実施例では、デジタル放送受信用テレビ１００による映像コンテンツ推薦動作の際の検索対象として、ネットワーク１５０上のコンテンツサーバ１４０に格納された映像コンテンツのみではなく、デジタル放送の放送番組も含めることが可能となる。また、検索結果である推薦すべき映像コンテンツと放送番組の情報を、コンテンツサーバ１４０内に格納された映像コンテンツか、デジタル放送の放送番組か、にかかわらず、一つの結果表示画面（本実施例では、映像コンテンツ推薦アプリケーション表示画面３１０の推薦結果表示部分３１１）で確認することが可能となる。したがって、使用者においては、推薦された映像コンテンツの確認に関するデジタル放送受信用テレビ１００の使い勝手が大幅に向上することとなる。
【００６７】
なお、キーワード情報をデジタル放送受信用テレビ１００から携帯情報端末１３０に送信する際には、選択／参照した映像コンテンツに関連付けられた検索タグと、視聴したデジタル放送番組の番組情報から抽出した視聴キーワードとを併せて、キーワード情報として送信し、一方、映像コンテンツ推薦動作の際には、携帯情報端末１３０から送信された蓄積検索キーワード情報を用いて、検索制御部１１３において、ネットワーク１５０上のコンテンツサーバ１４０に対して映像コンテンツの検索処理を実行し、抽出した推薦すべき映像コンテンツの情報のみを映像コンテンツ推薦アプリケーション表示画面３１０の推薦結果表示部分３１１内に表示するように構成しても良い。
【００６８】
逆に、キーワード情報をデジタル放送受信用テレビ１００から携帯情報端末１３０に送信する際には、選択／参照した映像コンテンツに関連付けられた検索タグのみを、キーワード情報として送信し、一方、映像コンテンツ推薦動作の際には、（１）携帯情報端末１３０から送信された蓄積検索キーワード情報を用いて、検索制御部１１３においてネットワーク１５０上のコンテンツサーバ１４０に対して映像コンテンツの検索処理を実行して抽出した推薦すべき映像コンテンツの情報と、（２）情報処理部１０７が取得した番組情報群に対して前記受信した蓄積検索キーワード情報を用いて検索処理を行い抽出した、前記蓄積検索キーワード情報の内容に合致するキーワードを含む番組情報を有する推薦すべき放送番組の情報と、を併せて、映像コンテンツ推薦アプリケーション表示画面３１０の推薦結果表示部分３１１内に表示するようにしても良い。
【００６９】
更には、前述の、選択／参照した映像コンテンツに関連付けられた検索タグと、視聴したデジタル放送番組の番組情報から抽出した視聴キーワード以外にも、映像コンテンツ検索アプリケーション表示画面３００の検索キーワード入力部分３０１に入力した検索キーワードも、デジタル放送受信用テレビ１００から携帯情報端末１３０に送信するキーワード情報としても良い。若しくは、映像コンテンツ検索アプリケーション表示画面３００の検索キーワード入力部分３０１に入力した検索キーワードのみを、キーワード情報として、デジタル放送受信用テレビ１００から携帯情報端末１３０に送信するようにしても良い。
【００７０】
なお、映像コンテンツ検索アプリケーション表示画面３００の検索キーワード入力部分３０１に入力した検索キーワードを、キーワード情報として、デジタル放送受信用テレビ１００から携帯情報端末１３０に送信する処理は、コンテンツサーバ上の映像コンテンツの検索処理を行う際の、検索開始ボタン３０３を選択して決定することによる検索処理の開始時に行うようにすればよい。
【００７１】
前述のように、映像コンテンツ検索アプリケーション表示画面３００の検索キーワード入力部分３０１に入力した検索キーワードを、キーワード情報として、デジタル放送受信用テレビ１００から携帯情報端末１３０に送信することにより、映像コンテンツの推薦動作の際に、推薦すべき映像コンテンツとして抽出される映像コンテンツの量／種類が、より多くなることが期待できる。
【００７２】
以上説明した本発明の実施例３に係るシステムまたは装置によれば、より好適な映像コンテンツ推薦を、より多くのコンテンツまたはより多くの種類のコンテンツを対象に行うことが可能となる。
【実施例４】
【００７３】
次に、図８を用いて、本発明の実施例４についてを説明する。なお、図中、前記実施例１〜実施例３と同一の符号を有するものは前記実施例１〜実施例３と同一の構成／動作であるものとし、説明を省略する。また、１４１はコンテンツサーバ側の送受信処理部、１４２は映像コンテンツ選択部、１４３は映像コンテンツ記憶部である。
【００７４】
本実施例のシステム構成は、コンテンツサーバ１４０に映像コンテンツの選択機能（検索機能、または推薦機能）を持たせたものであり、コンテンツサーバ上の映像コンテンツを検索して参照する動作は前記実施例１と同様であるが、映像コンテンツの推薦動作、及び推薦された映像コンテンツの参照動作の際は、以下のように動作する。
【００７５】
携帯情報端末１３０を所有する使用者が、デジタル放送受信用テレビ１００を視聴中に、リモコン１２０等の操作により、デジタル放送受信用テレビ１００に対して映像コンテンツの推薦を要求した場合、制御部１０１は、デジタル放送受信用テレビ側の送受信処理部１１１を介して、使用者が所有する携帯情報端末１３０に蓄積検索キーワード情報の送信を要求し、更にコンテンツサーバ１４０に推薦映像コンテンツの情報の送信を要求する。または、デジタル放送受信用テレビ側の送受信処理部１１１を介して、コンテンツサーバ１４０に推薦映像コンテンツの情報の送信を要求し、コンテンツサーバ１４０が前記推薦映像コンテンツの情報の送信要求を受けて、使用者が所有する携帯情報端末１３０に蓄積検索キーワード情報の送信を要求する。
【００７６】
デジタル放送受信用テレビ１００若しくはコンテンツサーバ１４０からの蓄積検索キーワード情報の送信要求を受け付けた携帯情報端末１３０は、図示を省略したＣＰＵの指示により、キーワード情報蓄積部１３２に蓄積されているキーワード情報群（例えば、本実施例の場合も図４に示したデータベース４００の全内容、または出現回数の多い所定の数のキーワード群など）を、携帯情報端末側の送受信処理部１３１を介して、コンテンツサーバ１４０に、蓄積検索キーワード情報として送信する。
【００７７】
デジタル放送受信用テレビ１００から送信された推薦映像コンテンツの情報の送信要求、及び携帯情報端末１３０から送信された蓄積検索キーワード情報は、コンテンツサーバ１４０において、コンテンツサーバ側の送受信処理部１４１で受信して、映像コンテンツ選択部１４２に入力される。映像コンテンツ選択部１４２では、携帯情報端末１３０から送信された蓄積検索キーワード情報を検索キーワードとして、映像コンテンツ記憶部１４３内に格納されている映像コンテンツ群に対して検索処理を実行する。更に、前記検索処理により抽出した推薦すべき映像コンテンツの情報を、推薦映像コンテンツの情報の送信要求信号の送信元であるデジタル放送受信用テレビ１００に送信する。
【００７８】
デジタル放送受信用テレビ１００では、コンテンツサーバ１４０から送信された前記推薦映像コンテンツの情報を、デジタル放送受信用テレビ側の送受信処理部１１１で受信し、表示処理部１０８を介して、デジタル放送受信用テレビ１００の備える映像コンテンツ推薦アプリケーション表示画面３１０の推薦結果表示部分３１１に表示する。
【００７９】
映像コンテンツ推薦アプリケーション表示画面３１０の推薦結果表示部分３１１内に表示された推薦映像コンテンツを、リモコン１２０等の操作により選択／参照可能であることは前記実施例１等と同様である。この処理により、使用者は、コンテンツサーバ１４０が携帯情報端末１３０を所有する使用者の映像コンテンツ参照に関する嗜好に基づいて推薦した映像コンテンツを選択して、デジタル放送受信用テレビ１００で視聴することが可能となる。
【００８０】
なお、本実施例のシステム構成とすることで、デジタル放送受信用テレビ１００側では、図２を用いて説明した実施例１等のシステム構成では必要であった検索制御部１１３の搭載が不要となり、デジタル放送受信用テレビ１００のコストを下げることが可能となる。
【００８１】
以上説明した本発明の実施例４に係るシステムまたは装置によれば、より好適な映像コンテンツ推薦を、より安価なデジタル放送受信装置の使用者に対して提供することが可能となる。
【実施例５】
【００８２】
次に、図９を用いて、本発明の実施例５について説明する。図９は、本発明のネットワーク対応映像表示装置をデジタル放送受信用テレビ１００に適用し、コンテンツサーバ１４０とコンテンツ推薦システムを構成した場合の例である。なお、図中、前記実施例１〜実施例４と同一の符号を有するものは前記実施例１〜実施例４と同一の構成／動作であるものとし、説明を省略する。また、１１４はメモリインタフェース、１７０は例えばフラッシュメモリのような記憶媒体である。
【００８３】
本実施例のシステム構成では、映像コンテンツ視聴動作において、映像コンテンツ検索アプリケーション表示画面３００ｂの検索結果表示部分３０４内で選択された映像コンテンツを、コンテンツサーバ１４０からデジタル放送受信用テレビ１００にダウンロードする際に、デジタル放送受信用テレビ１００は、前記選択された映像コンテンツに関連付けられた検索タグを、キーワード情報として、メモリインタフェース１１４を介して記憶媒体１７０に適宜記憶させていく処理を行う。
【００８４】
なお、本実施例においても、記憶媒体１７０に記憶させるキーワード情報は、前記実施例１等の場合と同様に、図４に示したデータベース４００の形式で構築されるものとする。
【００８５】
本実施例の構成における、記憶媒体１７０に構築されたデータベースを用いた、記憶媒体１７０を管理する使用者の映像コンテンツ参照に関する嗜好に応じた映像コンテンツの推薦動作は、以下のようになる。
【００８６】
記憶媒体１７０を管理する使用者がデジタル放送受信用テレビ１００を視聴中に、リモコン１２０等の操作により、デジタル放送受信用テレビ１００に対して映像コンテンツの推薦を要求した場合、制御部１０１は、メモリインタフェース１１４を介して、記憶媒体１７０に記憶されているキーワード情報群（例えば、図４に示したデータベース４００の全内容、若しくは出現回数の多い所定の数のキーワード群など）を、蓄積検索キーワード情報として読み込み、検索制御部１１３に入力する。その後は前記実施例１と同様に、検索制御部１１３が、記憶媒体１７０から読み込んだ蓄積検索キーワード情報を検索キーワードとして、ネットワーク１５０上のコンテンツサーバ１４０に対して映像コンテンツの検索処理を実行し、推薦すべき映像コンテンツを抽出する。
【００８７】
以上説明した本実施例のデジタル放送受信用テレビ１００によれば、デジタル放送受信用テレビ１００の使用者は、使用者自身の管理する記憶媒体１７０に構築された、自身の映像コンテンツ参照に関する嗜好に基づき、自身にとってより好適な映像コンテンツ推薦結果を得ることが可能となる。また、本実施例の構成では、携帯情報端末を必要とせず、より簡単なシステム構成で、推薦映像コンテンツの情報を得ることが可能となる。
【００８８】
また、本実施例の構成においても、前記実施例３と同様に、制御部１０１の制御により記憶媒体１７０に記憶させるキーワード情報を、前述の選択された映像コンテンツに関連付けられた検索タグだけでなく、デジタル放送の放送番組を視聴した際に視聴した番組の番組情報から抽出した視聴キーワードを併せて記憶させるようにしてもよい。このようにすれば、記憶媒体１７０に構築されるデータベースは、記憶媒体１７０を管理する使用者の映像コンテンツ参照に基づく嗜好の他、デジタル放送の放送番組の視聴に基づく嗜好をも反映することとなり、映像コンテンツの推薦動作の際に、より精度の高い推薦すべき映像コンテンツ抽出が可能となる。
【００８９】
また、映像コンテンツ推薦動作、及び推薦された映像コンテンツの視聴動作の際に、ネットワーク１５０上のコンテンツサーバ１４０から抽出した推薦すべき映像コンテンツの情報と、デジタル放送の放送番組の中から抽出した推薦すべき放送番組の情報とを、同一の結果表示画面（本実施例では、映像コンテンツ推薦アプリケーション表示画面３１０の推薦結果表示部分３１１）で確認することも可能である。このようにすれば、推薦映像コンテンツの確認に関するデジタル放送受信用テレビ１００の使い勝手が大幅に向上する。
【００９０】
また、使用者が記憶媒体を携行することにより、通常使用するデジタル放送受信用テレビとは異なるデジタル放送受信用テレビを用いる場合においても、携行した記憶媒体を前記異なるデジタル放送受信用テレビのメモリインタフェースと接続させることにより、前記異なるデジタル放送受信用テレビを用いて、自身の映像コンテンツ参照に関する嗜好に基づいた推薦すべき映像コンテンツの情報を得ることも可能となる。
【００９１】
以上説明した本発明の実施例５に係るシステムまたは装置によれば、携帯情報端末が無くともより好適な映像コンテンツ推薦を行うことが可能となる。
【実施例６】
【００９２】
本発明の実施例６について図１０を用いて説明する。図１０は、本発明のネットワーク対応映像表示装置及び情報端末装置を、デジタル放送受信用チューナ（２００）及び携帯情報端末１３０に適用した場合の例を説明するブロック図である。図中、前記実施例１〜実施例５と同一の符号を有するものは前記実施例１〜実施例５と同一の構成／動作であるものとし、説明を省略する。また、２１５は映像出力部、２１６は音声出力部であり、２８０は映像信号及び音声信号を入力して映像表示／音声出力するモニタである。
【００９３】
前記実施例１〜実施例５の説明で引用した図２、図８、図９では、デジタル放送受信用テレビ１００は表示デバイス１０９を有する映像表示部一体型の機器であるものとして説明している。一方、本実施例で示す図１０においては、デジタル放送受信用チューナ２００は表示デバイスを持たず、外部のモニタ２８０との組み合わせで映像を表示するものである。したがって、本実施例のシステム構成においては、デジタル放送受信用チューナ（２００）は外部のモニタ２８０に映像を表示するための出力手段、例えば、映像出力部２１５を有する。
【００９４】
本実施例の構成は、デジタル放送受信用テレビ１００の表示デバイス１０９に代わり、デジタル放送受信用チューナ２００が映像出力部２１５を有し、外部にモニタ２８０を備えることの他は、前記実施例１等の構成と同様である。このため、本実施例の構成においても、前記実施例１等で得られる効果を全て同様に得られることは、明らかである。また、デジタル放送受信用チューナ２００は、ＨＤＤ（ハードディスクドライブ）やＢＤ（ブルーレイディスクドライブ）等を内蔵して録画再生機能を有する録画再生機器等であっても良い。
【実施例７】
【００９５】
本発明の実施例７について図１１を用いて説明する。図１１は、本発明のネットワーク対応映像表示装置及び情報端末装置を、デジタル放送受信用テレビ１００及び携帯情報端末１３０に適用した場合の例を説明するブロック図である。図中、前記実施例１〜実施例６と同一の符号を有するものは前記実施例１〜実施例６と同一の構成／動作であるものとし、説明を省略する。また、１３３はリモコン送信部である。
【００９６】
本実施例は、近年増加傾向にある、携帯情報端末をデジタル放送受信用テレビのリモコンとして使用する技術を、携帯情報端末１３０に適用した場合の例である。前記実施例１におけるリモコン１２０の機能を本実施例の携帯情報端末１３０に移管したのみの、最も単純な構成とすれば、リモコン信号の通信がネットワーク１５０を介して行われること以外の動作に関しては前記実施例１と同様である。よって、前記実施例１の構成で得ることが可能な効果を同様に得ることが可能である。この場合の動作に関しては、実施例１の記述と同様の動作となるので、以下では説明を省略する。
【００９７】
また、本実施例の構成においては、携帯情報端末１３０をリモコン１２０の代替として使用する。これにより、例えば、コンテンツサーバ１４０上の映像コンテンツを検索して参照する処理の際の、映像コンテンツ検索アプリケーション表示画面３００の検索キーワード入力部分３０１に検索キーワードを入力する操作なども、携帯情報端末１３０を用いて行うことが可能である。このため、携帯情報端末１３０のＣＰＵ（図示省略）は、デジタル放送受信用テレビ１００との通信を行わなくとも、前記映像コンテンツ検索アプリケーション表示画面３００の検索キーワード入力部分３０１に入力された検索キーワードを把握することが可能となる。したがって、前記実施例３で説明したような、映像コンテンツ検索アプリケーション表示画面３００の検索キーワード入力部分３０１に入力した検索キーワードをキーワード情報として扱う場合、携帯情報端末１３０は、デジタル放送受信用テレビ１００との通信を行わなくとも、前記検索キーワードを、キーワード情報として、キーワード情報蓄積部１３２に記憶させることが可能となる。この結果、ネットワーク１５０におけるデータ通信量の軽減が可能であり、更には、ネットワーク１５０上における外乱の影響によるデータエラーによってキーワード情報が失われる可能性を排除できる。
【００９８】
更に、携帯情報端末１３０がデジタル放送受信部（例えば、デジタル放送波を受信するアンテナ、チューナ、及び放送波から番組情報を抽出するための情報処理部）を備える場合の例について説明する。この場合、携帯情報端末１３０をリモコン１２０の代替として使用し、デジタル放送受信用テレビ１００に対して選局等のデジタル放送受信のための指示を行い、その際に携帯情報端末１３０がデジタル放送受信部を介して番組情報を取得して、これから視聴キーワードを抽出することが可能となる。したがって、この場合も、デジタル放送受信用テレビ１００との通信を行うことなく、前記視聴キーワードを、キーワード情報として、キーワード情報蓄積部１３２に記憶させることが可能となる。このため、使用するデジタル放送受信用テレビが視聴キーワードの送信機能を有しない場合であっても、キーワード情報蓄積部１３２に携帯情報端末１３０を所有する使用者の映像コンテンツ視聴及び放送番組視聴に関する嗜好に基づくデータベースを構築することが可能となる。この場合、携帯情報端末１３０のキーワード情報蓄積部１３２にデータベース化されたキーワード情報は、上述の実施例で説明したのと同様に、デジタル放送受信用テレビ１００やコンテンツサーバ１４０に送信して、デジタル放送受信用テレビ１００やコンテンツサーバ１４０における番組推薦機能によって、デジタル放送受信用テレビ１００の表示画面に推薦番組を表示してもよい。また、上述の実施例で説明した検索制御部(図示省略)を携帯情報端末１３０自体に搭載し、当該検索制御部キーワード情報蓄積部１３２のデータベース内のキーワード情報を用いて、携帯情報端末１３０の表示部（図示省略）に、図３や図５のような推薦番組の検索結果表示画面を表示してもよい。当然ながら、携帯情報端末１３０の表示部の表示画面はデジタル放送受信用テレビ１００の表示画面よりも小さいことが多いため、その表示内容は図３や図５の例よりも簡素化しても構わない。
【００９９】
以上説明した本発明の実施例７に係るシステムまたは装置によれば、携帯情報端末をデジタル放送受信用テレビのリモコンとして使用する場合でも、より好適な映像コンテンツ推薦を行うことが可能となる。
【０１００】
以上、本発明のコンテンツ推薦システム、ネットワーク対応映像表示装置、コンテンツサーバ、及び情報端末装置の実施形態の例を示すために、前述の如く実施例１〜実施例７を説明したが、本発明の構成は前述した実施例１〜実施例７の構成に限定されるものではなく、様々な変形例が考えられる。
【０１０１】
例えば、上述のキーワード情報受信手段や蓄積検索キーワード情報送出手段、等はネットワーク対応映像表示装置と情報端末装置のいずれにあっても良い。但し、キーワード情報受信手段や蓄積検索キーワード情報送出手段がネットワーク対応映像表示装置に備えられている場合は、キーワード情報／蓄積検索キーワード情報のキーワード情報蓄積手段への書き込み／読み出しのために、ネットワーク対応映像表示装置と情報端末装置との間でデータ送受が必要となる。
【０１０２】
また、ある実施例の構成の一部を他の実施例の構成に置き換えることが可能であり、各実施例の構成の一部について、他の構成の追加、削除、置換をすることも可能である。
【０１０３】
なお、前記各実施例の説明において記述している『映像コンテンツ』とは、動画コンテンツのみに限るものではなく、静止画コンテンツも含むものであり、また、音声コンテンツにおいてもコンテンツ推薦処理及び選択処理に関しては、同様に処理可能である。
【符号の説明】
【０１０４】
１００／１００ａ／１００ｂ：デジタル放送受信用テレビ、１０１：制御部、１０２：アンテナ、１０３：チューナ、１０４：分離部、１０５：映像デコーダ、１０６：音声デコーダ、１０７：情報処理部、１０８：表示処理部、１０９：表示デバイス、１１０：スピーカ、１１１：送受信処理部（デジタル放送受信用テレビ側）、１１２：リモコンインタフェース、１１３：検索制御部、１１４：メモリインタフェース、１２０：リモコン、１３０／１３０ａ／１３０ｂ／１３０ｃ：携帯情報端末、１３１：送受信処理部（携帯情報端末側）、１３２：キーワード情報蓄積部、１３３：リモコン送信部、１４０／１４０ａ／１４０ｂ／１４０ｃ：コンテンツサーバ、１４１：送受信処理部（コンテンツサーバ側）、１４２：映像コンテンツ選択部、１４３：映像コンテンツ記憶部、１５０／１５０ａ／１５０ｂ：ネットワーク、１６０：ルータ、１７０：記憶媒体、２００：デジタル放送受信用チューナ、２１５：映像出力部、２１６：音声出力部、２８０：モニタ、３００ａ／３００ｂ：映像コンテンツ検索アプリケーション表示画面、３０１：検索キーワード入力部分、３０２：検索対象サービス選択部分、３０３：検索開始ボタン、３０４：検索結果表示部分、３１０：映像コンテンツ推薦アプリケーション表示画面、３１１：推薦結果表示部分、４００：キーワード情報データベース
【図１】
0006006944.tif 000002
【図２】
0006006944.tif 000003
【図３】
0006006944.tif 000004
【図４】
0006006944.tif 000005
【図５】
0006006944.tif 000006
【図６】
0006006944.tif 000007
【図７】
0006006944.tif 000008
【図８】
0006006944.tif 000009
【図９】
0006006944.tif 000010
【図１０】
0006006944.tif 000011
【図１１】
0006006944.tif 000012